(57)【要約】【課題】サイドガセット部を有するパウチ容器において、指掛穴や指掛穴を形成可能な切目部分から破断しにくいパウチ容器を提供する。【解決手段】表裏一対の外装シート１１及び両外装シート１１の両側部から内側に折り込まれてガセット部を形成する左右一対のガセットシート１２を有し、ガセットシート１２の周縁部が外装シート１１にヒートシールされると共に外装シート１１の上縁部及び下縁部が相互にヒートシールされることで、袋状に形成された容器本体１０と、容器本体１０に装着されるスパウト２０とから構成されている。一方のサイドガセット部は、外装シート１１とガセットシート１２のヒートシール部分が外側に張り出しており、そこに指掛穴１３が形成されている。指掛穴１３部分は、外装シート１１の指掛穴のサイズが、ガセットシート１２の指掛穴のサイズよりも小さく、指掛穴１３の周囲は表裏一対の外装シート１１同士がヒートシールされている。【選択図】        図１
2006176138.tif 000002
【特許請求の範囲】
【請求項１】
表裏一対の外装シート及び両外装シートの側部から内側に折り込まれてガセット部を形成するガセットシートを有し、
前記ガセットシートの周縁部が前記外装シートにヒートシールされると共に前記ガセットシートがヒートシールされていない前記外装シートの周縁部が相互にヒートシールされることによって袋状に形成され、
前記外装シートと前記ガセットシートとのヒートシール部分に、指掛穴が形成されたパウチ容器において、
前記外装シートに形成された指掛穴のサイズが、前記ガセットシートに形成された指掛穴のサイズよりも小さく設定されており、前記指掛穴の周囲は表裏一対の前記外装シート同士が相互にヒートシールされていることを特徴とするパウチ容器。
【請求項２】
表裏一対の外装シート及び両外装シートの側部から内側に折り込まれてガセット部を形成するガセットシートを有し、
前記ガセットシートの周縁部が前記外装シートにヒートシールされると共に前記ガセットシートがヒートシールされていない前記外装シートの周縁部が相互にヒートシールされることによって袋状に形成され、
前記外装シートと前記ガセットシートとのヒートシール部分には、切目を入れることによって舌片が形成されていると共に、前記切目の両端にそれぞれ繋がる小孔が形成されており、
前記舌片を起こすことによって指掛穴が形成されるようになっているパウチ容器において、
前記外装シートに形成された小孔の径が、前記ガセットシートに形成された小孔の径よりも小さく設定されており、前記小孔の周囲は表裏一対の前記外装シート同士が相互にヒートシールされていることを特徴とするパウチ容器。
【請求項３】
表裏一対の外装シート及び両外装シートの側部から内側に折り込まれてガセット部を形成するガセットシートを有し、
前記ガセットシートの周縁部が前記外装シートにヒートシールされると共に前記ガセットシートがヒートシールされていない前記外装シートの周縁部が相互にヒートシールされることによって袋状に形成され、
前記外装シートと前記ガセットシートとのヒートシール部分には、両端に小さな湾曲部を有する切目を入れることによって舌片が形成されており、
前記舌片を起こすことによって指掛穴が形成されるようになっているパウチ容器において、
前記ガセットシートに形成された前記切目の湾曲部は、前記外装シートに形成された切目の湾曲部に比べて、切目自体が幅広に形成されており、前記切目の湾曲部の周囲は表裏一対の前記外装シート同士が相互にヒートシールされていることを特徴とするパウチ容器。
【請求項４】
表裏一対の外装シート及び両外装シートの側部から内側に折り込まれてガセット部を形成するガセットシートを有し、
前記ガセットシートの周縁部が前記外装シートにヒートシールされると共に前記ガセットシートがヒートシールされていない前記外装シートの周縁部が相互にヒートシールされることによって袋状に形成されたパウチ容器において、
前記外装シートと前記ガセットシートとのヒートシール部分には、前記ガセットシートに指掛穴が形成されていると共に、前記外装シートにおける前記指掛穴の内側に対応する部分に特定の起点を中心に放射状に延びる複数の切目が形成されており、
前記指掛穴の内側部分は、前記外装シート同士がヒートシールされていることを特徴とするパウチ容器。
【請求項５】
表裏一対の外装シート及び両外装シートの側部から内側に折り込まれてガセット部を形成するガセットシートを有し、
前記ガセットシートの周縁部が前記外装シートにヒートシールされると共に前記ガセットシートがヒートシールされていない前記外装シートの周縁部が相互にヒートシールされることによって袋状に形成されたパウチ容器において、
前記外装シートと前記ガセットシートとのヒートシール部分には、指掛穴を形成するために、特定の起点を中心に放射状に延びる複数の切目が形成されており、
前記指掛穴に指を掛けて吊り下げたときに、少なくとも、指がかかる部分に対応する前記切目の端部は、破断防止構造を有していることを特徴とするパウチ容器。
【発明の詳細な説明】
【技術分野】
【０００１】
この発明は、清涼飲料等の液体飲料や食品、医薬品、洗剤等の液体や粘性体を充填する大容量のパウチ容器、特に、持ち運び用の指掛穴を有するパウチ容器に関する。
【背景技術】
【０００２】
近年、清涼飲料等の液体飲料や液体洗剤等を充填する容器としては、合成樹脂フィルムにアルミホイル等をラミネートした内面が熱接着性を有するフレキシブルシートによって、ガセット部を有する袋状の容器本体を形成し、この容器本体に、スクリューキャップ等によって注口や飲口となる口部を開閉することができるスパウトを取り付けたスパウト付きパウチ容器が使用されるようになってきている。
【０００３】
こういったスパウト付きパウチ容器は、図１０及び図１１に示すように、容器本体５１が、表裏一対の外装シート５２、５２及び両外装シート５２、５２の両側部から内側に折り込まれてサイドガセット部を形成する左右一対のガセットシート５３、５３を有し、ガセットシート５３、５３の周縁部が外装シート５２、５２にヒートシールされると共に外装シート５２、５２の上縁部及び下縁部が相互にヒートシールされることで（図１１における網掛け表示領域がヒートシール領域である。）、袋状に形成されており、スクリューキャップ５５によって口部が開閉可能なスパウト５４は、その固着部５６が、外装シート５２、５２間に挿入された状態で外装シート５２、５２の上縁部にヒートシールされている。
【０００４】
特に、内容量が１〜２リットル程度の大容量のスパウト付きパウチ容器５０の場合は、その持ち運びに便利なように、外装シート５２、５２とガセットシート５３とのヒートシール領域の上側部分を外側に張り出させ、その張出部分に半円弧状の切目５１ａを入れることによって舌片５１ｂを形成し、この舌片５１ｂを片側に指で押し込むようにして指掛穴ｆｈを形成しながら、その指掛穴ｆｈに指を掛け、スパウト付きパウチ容器５０を指で吊り下げた状態で持ち運ぶことができるようになっている。
【０００５】
【特許文献１】特開２０００−２５７９３号公報
【発明の開示】
【発明が解決しようとする課題】
【０００６】
しかしながら、上述したようなスパウト付きパウチ容器５０では、指掛穴を形成する部分は、外装シート５２とガセットシート５３とが相互にヒートシールされているだけなので、そのヒートシール部分に、指掛穴ｆｈを直接打ち抜いたり、指掛穴ｆｈを形成可能な切目５１ａを打設する際、その指掛穴ｆｈや切目５１ａ部分に細かい亀裂が入ると、その亀裂から、容器本体５１が容易に破断してしまうといった問題がある。特に、重量の大きい内容物が充填された大容量のスパウト付きパウチ容器５０では、指掛穴ｆｈに指を掛けて吊り下げる際、その重量によって容器本体５１が破断しやすくなるといった問題がある。
【０００７】
そこで、この発明の課題は、こういったサイドガセット部を有するパウチ容器において、指掛穴や指掛穴を形成可能な切目部分から破断しにくいパウチ容器を提供することにある。
【課題を解決するための手段】
【０００８】
上記の課題を解決するため、請求項１にかかる発明は、表裏一対の外装シート及び両外装シートの側部から内側に折り込まれてガセット部を形成するガセットシートを有し、前記ガセットシートの周縁部が前記外装シートにヒートシールされると共に前記ガセットシートがヒートシールされていない前記外装シートの周縁部が相互にヒートシールされることによって袋状に形成され、前記外装シートと前記ガセットシートとのヒートシール部分に、指掛穴が形成されたパウチ容器において、前記外装シートに形成された指掛穴のサイズが、前記ガセットシートに形成された指掛穴のサイズよりも小さく設定されており、前記指掛穴の周囲は表裏一対の前記外装シート同士が相互にヒートシールされていることを特徴とするパウチ容器を提供するものである。
【０００９】
また、上記の課題を解決するため、請求項２にかかる発明は、表裏一対の外装シート及び両外装シートの側部から内側に折り込まれてガセット部を形成するガセットシートを有し、前記ガセットシートの周縁部が前記外装シートにヒートシールされると共に前記ガセットシートがヒートシールされていない前記外装シートの周縁部が相互にヒートシールされることによって袋状に形成され、前記外装シートと前記ガセットシートとのヒートシール部分には、切目を入れることによって舌片が形成されていると共に、前記切目の両端にそれぞれ繋がる小孔が形成されており、前記舌片を起こすことによって指掛穴が形成されるようになっているパウチ容器において、前記外装シートに形成された小孔の径が、前記ガセットシートに形成された小孔の径よりも小さく設定されており、前記小孔の周囲は表裏一対の前記外装シート同士が相互にヒートシールされていることを特徴とするパウチ容器を提供するものである。
【００１０】
また、上記の課題を解決するため、請求項３にかかる発明は、表裏一対の外装シート及び両外装シートの側部から内側に折り込まれてガセット部を形成するガセットシートを有し、前記ガセットシートの周縁部が前記外装シートにヒートシールされると共に前記ガセットシートがヒートシールされていない前記外装シートの周縁部が相互にヒートシールされることによって袋状に形成され、前記外装シートと前記ガセットシートとのヒートシール部分には、両端に小さな湾曲部を有する切目を入れることによって舌片が形成されており、前記舌片を起こすことによって指掛穴が形成されるようになっているパウチ容器において、前記ガセットシートに形成された前記切目の湾曲部は、前記外装シートに形成された切目の湾曲部に比べて、切目自体が幅広に形成されており、前記切目の湾曲部の周囲は表裏一対の前記外装シート同士が相互にヒートシールされていることを特徴とするパウチ容器を提供するものである。
【００１１】
また、上記の課題を解決するため、請求項４にかかる発明は、表裏一対の外装シート及び両外装シートの側部から内側に折り込まれてガセット部を形成するガセットシートを有し、前記ガセットシートの周縁部が前記外装シートにヒートシールされると共に前記ガセットシートがヒートシールされていない前記外装シートの周縁部が相互にヒートシールされることによって袋状に形成されたパウチ容器において、前記外装シートと前記ガセットシートとのヒートシール部分には、前記ガセットシートに指掛穴が形成されていると共に、前記外装シートにおける前記指掛穴の内側に対応する部分に特定の起点を中心に放射状に延びる複数の切目が形成されており、前記指掛穴の内側部分は、前記外装シート同士がヒートシールされていることを特徴とするパウチ容器を提供するものである。なお、放射状に延びる複数の切目は、特定の起点で相互に繋がっているものに限定されるものではなく、起点周辺に切目のない領域が僅かに存在するものも含まれる。
【００１２】
また、上記の課題を解決するため、請求項５にかかる発明は、表裏一対の外装シート及び両外装シートの側部から内側に折り込まれてガセット部を形成するガセットシートを有し、前記ガセットシートの周縁部が前記外装シートにヒートシールされると共に前記ガセットシートがヒートシールされていない前記外装シートの周縁部が相互にヒートシールされることによって袋状に形成されたパウチ容器において、前記外装シートと前記ガセットシートとのヒートシール部分には、指掛穴を形成するために、特定の起点を中心に放射状に延びる複数の切目が形成されており、前記指掛穴に指を掛けて吊り下げたときに、少なくとも、指がかかる部分に対応する前記切目の端部は、破断防止構造を有していることを特徴とするパウチ容器を提供するものである。なお、放射状に延びる複数の切目は、特定の起点で相互に繋がっているものに限定されるものではなく、起点周辺に切目のない領域が僅かに存在するものも含まれる。
【発明の効果】
【００１３】
以上のように、請求項１にかかる発明のパウチ容器では、外装シートに形成された指掛穴のサイズが、ガセットシートに形成された指掛穴のサイズよりも小さく設定されており、指掛穴の周囲は表裏一対の前記外装シート同士が相互にヒートシールされているので、外装シートに形成された指掛穴の周縁に亀裂が形成され、その亀裂から外装シートが破断し始めたとしても、その破断部分は、外装シートにヒートシールされているガセットシートの指掛穴の周縁部を越えて、それ以上延びることがない。
【００１４】
また、指掛穴に指を掛けたときに、指に接触する指掛穴の周縁は２枚の外装シートが相互にヒートシールされている部分であり、柔らかいので、重量の大きい内容物が充填された大容量のパウチ容器を持ち運ぶ場合であっても、指掛穴に掛けた指が痛くなることがない。
【００１５】
また、請求項２にかかる発明のパウチ容器では、外装シートに形成された小孔の径が、ガセットシートに形成された小孔の径よりも小さく設定されており、小孔の周囲は表裏一対の外装シート同士が相互にヒートシールされているので、外装シートに形成された小孔の周縁に亀裂が形成され、その亀裂から外装シートが破断し始めたとしても、その破断部分は、外装シートにヒートシールされているガセットシートの小孔の周縁部を越えて、それ以上延びることがない。
【００１６】
また、請求項３にかかる発明のパウチ容器では、ガセットシートに形成された切目の湾曲部が、外装シートに形成された切目の湾曲部に比べて、切目自体が幅広に形成されており、切目の湾曲部の周囲は表裏一対の外装シート同士が相互にヒートシールされているので、外装シートに形成された切目における湾曲部の周縁に亀裂が形成され、その亀裂から外装シートが破断し始めたとしても、その破断部分は、外装シートにヒートシールされているガセットシートに形成された切目における湾曲部の周縁部を越えて、それ以上延びることがない。
【００１７】
さらに、請求項２及び請求項３にかかる発明のパウチ容器では、切目によって下向きの舌片を形成しておくと、その舌片を片側に指で押し込むようにして指掛穴を形成しながら、その指掛穴に指を掛け、パウチ容器を指で吊り下げた状態で持ち運ぶ際、指には、打設した切目部分が接触することはなく、起こした舌片の基端部が接触することになるので、手触りがよく、重量の大きい内容物が充填された大容量のパウチ容器を持ち運ぶ場合であっても、指掛穴に掛けた指が痛くなることがない。
【００１８】
また、請求項４にかかる発明のパウチ容器では、外装シートとガセットシートとのヒートシール部分には、ガセットシートに指掛穴が形成されていると共に、外装シートにおける指掛穴の内側に対応する部分に特定の起点を中心に放射状に延びる複数の切目が形成されており、指掛穴の内側部分は、外装シート同士がヒートシールされているので、外装シートに形成された切目の端部に亀裂が発生し、その亀裂から外装シートが破断し始めたとしても、その破断部分は、外装シートにヒートシールされているガセットシートの指掛穴の周縁部を越えて、それ以上延びることがない。
【００１９】
また、指掛穴に指を掛けたときに、指に接触する指掛穴の周縁は２枚の外装シートが相互にヒートシールされている部分であり、柔らかいので、重量の大きい内容物が充填された大容量のパウチ容器を持ち運ぶ場合であっても、指掛穴に掛けた指が痛くなることがない。
【００２０】
また、請求項５にかかる発明のパウチ容器では、外装シートとガセットシートとのヒートシール部分には、指掛穴を形成するために、特定の起点を中心に放射状に延びる複数の切目が形成されており、指掛穴に指を掛けて吊り下げたときに、少なくとも、指がかかる部分に対応する切目の端部は、破断防止構造を有しているので、指掛穴に指を掛けてパウチ容器を吊り下げたときに、パウチ容器が切目の端部から破断することがない。
【発明を実施するための最良の形態】
【００２１】
以下、実施の形態について図面を参照して説明する。図１及び図２に示すように、このスパウト付きパウチ容器１は、ポリエチレンやポリプロピレン等の熱接着性を有する合成樹脂フィルムの外面にアルミホイル等のガスバリア性シート等を積層したポリエステルフィルム等をラミネートしたフレキシブルシートによって袋状に形成された、内容量が１０００〜４０００ｃｃ程度の大容量の容器本体１０と、この容器本体１０に取り付けられる熱接着性樹脂によって形成されたスパウト２０とから構成されている。
【００２２】
前記容器本体１０は、表裏一対の外装シート１１、１１及び両外装シート１１、１１の両側部から内側に折り込まれて左右のサイドガセット部を形成する左右一対のガセットシート１２、１２とから構成されており、折り込まれたガセットシート１２、１２の内面の周縁が外装シート１１、１１の内面にヒートシールされると共に、外装シート１１、１１の内面の上縁部及び下縁部が相互にヒートシールされることで、袋状に形成されている。
【００２３】
前記容器本体１０における一方のサイドガセット部は、表裏一対の外装シート１１、１１とガセットシート１２とが相互にヒートシールされている上側のヒートシール部分が外側に張り出しており、この張り出したヒートシール部分に、スパウト付きパウチ容器１を持ち運ぶ際、指を掛けて吊り下げる持ち運び用の指掛穴１３が形成されている。
【００２４】
この指掛穴１３部分は、図３（ａ）〜（ｃ）に示すように、外装シート１１に形成された指掛穴１３ａのサイズが、ガセットシート１２に形成された指掛穴１３ｂのサイズよりも小さく設定されており、指掛穴１３の周囲は表裏一対の外装シート１１同士が相互にヒートシールされている。なお、同図（ａ）において、濃い網掛け表示領域が外装シート１１同士のヒートシール領域を示しており、薄い網掛け表示領域が外装シート１１とガセットシート１２とのヒートシール領域を示している。
【００２５】
また、図２に示すように、ガセットシート１２、１２は、二つ折りされた状態の合わせ目縁側の上側角部に切除部１２ａ、１２ａが形成されており、この切除部１２ａ、１２ａ部分においても外装シート１１同士が相互にヒートシールされている。このように、ガセットシート１２に切除部１２ａを形成したのは、外装シート１１の上縁部の両端を相互に固着することによって、内容物を充填したときの容器本体１０を所定の形状（図１参照）に保持するためである。
【００２６】
前記スパウト２０は、ポリエチレンやポリプロピレン等により形成され、袋状の容器本体１０に取り付けられる固着部２１と、この固着部２１の上部に設けられた、スクリューキャップ２２によって開閉可能な飲口または注口となる口部とから構成されており、固着部２１が表裏一対の外装シート１１、１１の上縁部に挟み込まれた状態で、その側面が外装シート１１、１１の上縁部にヒートシールされている。
【００２７】
以上のように、このスパウト付きパウチ容器１では、外装シート１１に形成された指掛穴１３ａのサイズが、ガセットシート１２に形成された指掛穴１３ｂのサイズよりも小さく設定されており、指掛穴１３の周囲は表裏一対の外装シート１１同士が相互にヒートシールされているので、外装シート１１に形成された指掛穴１３ａの周縁に亀裂が形成され、その亀裂から外装シート１１が破断し始めたとしても、その破断部分は、外装シート１１にヒートシールされているガセットシート１２の指掛穴１３ｂの周縁部を越えて、それ以上延びることがなく、容器本体１０の損傷を最小限に抑えることができる。
【００２８】
また、指掛穴１３に指を掛けたときに、指に接触する指掛穴１３の周縁は２枚の外装シート１１、１１が相互にヒートシールされている２枚重ねの部分であり、比較的柔らかいので、重量の大きい内容物が充填された大容量のスパウト付きパウチ容器１を持ち運ぶ場合であっても、指掛穴１３に掛けた指が痛くなることがない。
【００２９】
なお、上述した実施形態では、外装シート１１やガセットシート１２を打ち抜くことによって、円形の指掛穴１３（１３ａ、１３ｂ）を形成しているが、これに限定されるものではなく、例えば、図４（ａ）に示すように、外装シート１１とガセットシート１２とのヒートシール部分には、下向きの舌片１５を形成するための半円弧状の切目１４を形成しておき、この舌片１５を起こすことによって指掛穴が形成されるようにしてもよい。この場合、切目１４の両端から破断しないように、切目１４の両端に繋がる小孔１６をそれぞれ形成しておくことが望ましい。
【００３０】
この小孔１６は、同図（ｂ）に示すように、外装シート１１に形成された小孔１６ａのサイズが、ガセットシート１２に形成された小孔１６ｂのサイズよりも小さく設定されており、小孔１６の周囲は表裏一対の外装シート１１同士が相互にヒートシールされている。なお、同図（ｂ）において、濃い網掛け表示領域が外装シート１１同士のヒートシール領域を示しており、薄い網掛け表示領域が外装シート１１とガセットシート１２とのヒートシール領域を示している。
【００３１】
従って、外装シート１１に形成された小孔１６ａの周縁に亀裂が形成され、その亀裂から外装シート１１が破断し始めたとしても、その破断部分は、外装シート１１にヒートシールされているガセットシート１２の小孔１６ｂの周縁部を越えて、それ以上延びることがなく、容器本体１０の損傷を最小限に抑えることができる。
【００３２】
また、上述したように、両端が小孔１６、１６に繋がった切目１４に代えて、図５（ａ）に示すように、両端に小さな湾曲部１４ａ、１４ａを有する切目１４を形成することも可能である。この場合、同図（ｂ）、（ｃ）に示すように、ガセットシート１２に形成された切目１４の湾曲部１４ａ自体を、外装シート１１に形成された切目１４の湾曲部１４ａに比べて、舌片１５の基端部側に幅広に形成することによって、切目１４の湾曲部１４ａの周囲については、表裏一対の外装シート１１同士を相互にヒートシールするようにしておくと、外装シート１１に形成された切目１４における湾曲部１４ａの周縁に亀裂が形成され、その亀裂から外装シート１１が破断し始めたとしても、その破断部分は、外装シート１１にヒートシールされているガセットシートに形成された切目１４における湾曲部１４ａの周縁部を越えて、それ以上延びることがない。なお、同図（ｂ）において、濃い網掛け表示領域が外装シート１１同士のヒートシール領域を示しており、薄い網掛け表示領域が外装シート１１とガセットシート１２とのヒートシール領域を示している。
【００３３】
特に、上述したスパウト付きパウチ容器のように、切目１４によって下向きの舌片１５を形成しておくと、その舌片１５を片側に指で押し込むようにして指掛穴を形成しながら、その指掛穴に指を掛け、スパウト付きパウチ容器を指で吊り下げた状態で持ち運ぶ際、指には、打設した切目１４部分が接触することはなく、起こした舌片１５の基端部が接触することになるので、手触りがよく、重量の大きい内容物が充填された大容量のスパウト付きパウチ容器を持ち運ぶ場合であっても、指掛穴に掛けた指が痛くなることがない。
【００３４】
また、上述した各実施形態では、指掛穴１３の形状を円形に、切目１４の形状を半円弧状にしているが、これに限定されるものではなく、種々の穴形状（例えば、半円形、矩形等）や切目形状（例えば、コ字状等）を採用することも可能であり、図６（ａ）、（ｂ）に示すように、切目１４によって形成される舌片１５を分断する一以上の新たな切目１４Ａを形成すると共に、その切目１４Ａの端部に、上述した小孔１６や湾曲部１４ａと同一構造の小孔１６Ａや湾曲部１４Ａａを形成するようにしてもよい。
【００３５】
また、上述した各実施形態では、ガセットシート１２に形成された指掛穴１３ｂ、小孔１６ｂ及び湾曲部１４ａにおける周縁部を外装シート１１に完全にヒートシールしているが、これに限定されるものではなく、例えば、図７（ａ）、（ｂ）に示すように、ガセットシート１２に形成された指掛穴１３ｂ（小孔１６ｂ及び湾曲部１４ａ）における周縁部に所定幅の非シール領域αを形成することも可能であり、こういった非シール領域αを形成しておくことによって、指掛穴１３（小孔１６及び湾曲部１４ａ）の周縁部がさらに破断しにくくなるという効果が得られる。なお、同図（ａ）において、濃い網掛け表示領域が外装シート１１同士のヒートシール領域を示しており、薄い網掛け表示領域が外装シート１１とガセットシート１２とのヒートシール領域を示している。
【００３６】
また、他の実施形態としては、図８に示すように、外装シート１１とガセットシート１２とのヒートシール部分には、ガセットシート１２に指掛穴１３ｂを形成すると共に、外装シート１１における指掛穴１３ｂの内側に対応する部分に特定の起点Ｏを中心に放射状に延びる複数の湾曲した切目１７を形成し、指掛穴１３ｂの内側部分は、外装シート１１同士をヒートシールするようにしてもよい。なお、同図において、濃い網掛け表示領域が外装シート１１同士のヒートシール領域を示しており、薄い網掛け表示領域が外装シート１１とガセットシート１２とのヒートシール領域を示している。
【００３７】
さらに、他の実施形態としては、図９（ａ）、（ｂ）に示すように、外装シート１１とガセットシート１２とのヒートシール部分には、指掛穴を形成するために、特定の起点Ｏを中心に放射状に延びる複数の直線状の切目１８を形成し、指掛穴に指を掛けて吊り下げたときに、少なくとも、指がかかる部分に対応する切目１８の端部、即ち、この場合は、６本の切目１８のうち、上側の３本の切目１８の上側端部に、上述した小孔１６や湾曲部１４ａと同様の破断防止構造である小孔１９や湾曲部１８ａを形成するようにしてもよい。
【００３８】
なお、上述したように、特定の起点Ｏを中心に放射状に延びる複数の切目１８を形成する場合、それぞれの切目１８は、特定の起点Ｏで相互に繋がっているものに限定されるものではなく、同図（ｃ）、（ｄ）に示すように、指で押して破断することができるのであれば、起点Ｏ周辺に切目のない領域が僅かに存在するものであってもよい。
【００３９】
また、図９（ａ）、（ｂ）に示す実施形態では、指掛穴に指を掛けて吊り下げたときに、指がかかる部分に対応する切目の端部にだけ、小孔１９や湾曲部１８ａ等の破断防止構造を採用しているが、これに限定されるものではなく、それ以外の切目の端部に破断防止構造を採用してもよい。
【００４０】
また、上述した各実施形態では、容器本体１０の左右両側にサイドガセット部が形成されたスパウト付きパウチ容器１等について説明したが、これに限定されるものではなく、少なくとも、左右のいずれか一方にサイドガセット部が存在すればよい。
【００４１】
また、上述した各実施形態では、容器本体１０にスパウト２０が装着されたスパウト付きパウチ容器１等について説明したが、これに限定されるものではなく、スパウトのないサイドガセットタイプのパウチ容器についても本発明を適用することができることはいうまでもない。
【図面の簡単な説明】
【００４２】
【図１】この発明にかかるパウチ容器の一実施形態であるスパウト付きパウチ容器を示す斜視図である。
【図２】同上のスパウト付きパウチ容器における内容物を充填する前の状態を示す正面図である。
【図３】（ａ）は同上のスパウト付きパウチ容器における指掛穴付近を示す部分平面図、（ｂ）は（ａ）のＸ−Ｘ線に沿った断面図、（ｃ）は外装シート同士をヒートシールする前の状態を示す断面図である。
【図４】（ａ）は他の実施形態であるスパウト付きパウチ容器における内容物を充填する前の状態を示す部分正面図、（ｂ）は同上のスパウト付きパウチ容器における切目付近を示す部分平面図である。
【図５】（ａ）は他の実施形態であるスパウト付きパウチ容器における内容物を充填する前の状態を示す部分正面図、（ｂ）は同上のスパウト付きパウチ容器における切目付近を示す部分平面図、（ｃ）はガセットシートに形成された切目を示す図である。
【図６】（ａ）、（ｂ）は他の実施形態であるスパウト付きパウチ容器における切目付近を示す部分平面図である。
【図７】（ａ）は他の実施形態であるスパウト付きパウチ容器における指掛穴付近を示す部分平面図、（ｂ）は（ａ）のＹ−Ｙ線に沿った断面図である。
【図８】他の実施形態であるスパウト付きパウチ容器における指掛穴となる部分を示す部分平面図である。
【図９】（ａ）〜（ｄ）は他の実施形態であるスパウト付きパウチ容器における指掛穴となる部分を示す部分平面図である。
【図１０】従来のスパウト付きパウチ容器を示す斜視図である。
【図１１】同上のスパウト付きパウチ容器における内容物を充填する前の状態を示す正面図である。
【符号の説明】
【００４３】
１  スパウト付きパウチ容器（パウチ容器）
１０  容器本体
１１  外装シート
１２  ガセットシート
１２ａ  切除部
１３、１３ａ、１３ｂ  指掛穴
１４、１４Ａ、１７、１８  切目
１４ａ、１４Ａａ、１８ａ  湾曲部
１５  舌片
１６、１６Ａ、１９、１６ａ、１６ｂ  小孔
２０  スパウト
２１  固着部
２２  スクリューキャップ
【図１】
2006176138.tif 000003
【図２】
2006176138.tif 000004
【図３】
2006176138.tif 000005
【図４】
2006176138.tif 000006
【図５】
2006176138.tif 000007
【図６】
2006176138.tif 000008
【図７】
2006176138.tif 000009
【図８】
2006176138.tif 000010
【図９】
2006176138.tif 000011
【図１０】
2006176138.tif 000012
【図１１】
2006176138.tif 000013